(57)【特許請求の範囲】
【請求項１】
表示手段に２次元映像及び３次元映像を表示する制御を行う表示制御装置であって、
前記表示手段の表面に配置した複数の検知電極により操作入力を検出する検出手段と、
前記検出手段による検出結果と第１閾値を比較して検出対象の前記表示手段への接触を判定し、前記検出手段による検出結果と第２閾値を比較して検出対象の前記表示手段への接近を判定する判定手段と、
前記表示手段により３次元映像が表示されている場合に前記検出手段による検出結果が前記第２閾値を超えて、前記検出対象が前記表示手段に接近したことが前記判定手段により判定されたときに、３次元映像から２次元映像への表示変更を制御する制御手段を備え、
前記制御手段は、３次元映像に係る表示映像の視差量に応じて複数の前記第１閾値及び第２閾値を動的に切り替え、前記３次元映像から２次元映像への表示変更後に前記表示手段により２次元映像が表示されている場合に前記検出手段による検出結果が前記第１閾値を超えて、前記検出対象が前記表示手段に接触したことが前記判定手段により判定されたときに前記表示手段への接触位置に対応して予め設定された処理を実行し、また前記表示手段により３次元映像が表示されている場合に前記検出手段による検出結果が前記第２閾値を超えないときには前記３次元映像から２次元映像への表示変更を実行しないことを特徴とする表示制御装置。
【請求項２】
表示手段に２次元映像及び３次元映像を表示する制御を行う表示制御装置であって、
前記表示手段の表面に配置した複数の検知電極により操作入力を検出する検出手段と、
前記検出手段による検出結果と第１閾値を比較して前記検知電極の電圧が前記第１閾値を超えている放電カウント期間の長さを計測し、計測した放電カウント期間の長さが接触判定用の閾値以下である場合に検出対象が前記表示手段に接触したことを判定し、前記検出手段による検出結果と第２閾値を比較して前記検知電極の電圧が前記第２閾値を超えている放電カウント期間の長さを計測し、計測した放電カウント期間の長さが近接判定用の閾値以下である場合に検出対象が前記表示手段に接近したことを判定する判定手段と、
前記表示手段により３次元映像が表示されている場合に前記検出対象が前記表示手段に接近したことが前記判定手段により判定されたときに、３次元映像から２次元映像への表示変更を制御する制御手段を備え、
前記制御手段は、前記３次元映像から２次元映像への表示変更後に前記表示手段により２次元映像が表示されている場合に前記検出対象が前記表示手段に接触したことが前記判定手段により判定されたときに前記表示手段への接触位置に対応して予め設定された処理を実行し、また前記表示手段により３次元映像が表示されている場合に前記検出手段による検出結果が前記第２閾値を超えないときには前記３次元映像から２次元映像への表示変更を実行しないことを特徴とする表示制御装置。
【請求項３】
表示手段に２次元映像及び３次元映像を表示する制御を行う表示制御装置であって、
前記表示手段の表面に配置した複数の検知電極により操作入力を検出する検出手段と、
前記検出手段による検出結果と閾値を比較して検出対象の前記表示手段への接近を判定する判定手段と、
前記表示手段により３次元映像が表示されている場合に前記検出手段による検出結果が前記閾値を超えて、前記検出対象が前記表示手段に接近したことが前記判定手段により判定されたときに、３次元映像から２次元映像への表示変更を制御する制御手段を備え、
前記制御手段は、前記表示手段が撮影処理後に撮影画像を表示している間、前記検出手段による検出結果が前記閾値を超えて、前記検出対象が前記表示手段に接近したことが前記判定手段により判定されたとしても前記３次元映像から２次元映像への表示変更を実行せず、前記表示手段が撮影処理後でない場合に３次元映像を表示している間、前記検出手段による検出結果が前記閾値を超えて、前記検出対象が前記表示手段に接近したことが前記判定手段により判定されると前記３次元映像から２次元映像への表示変更を実行することを特徴とする表示制御装置。
【請求項４】
前記検知電極の電気的な結合及び分離を制御する接続制御手段を備え、
前記接続制御手段は、３次元映像の表示制御が行われている場合に前記複数の検知電極を結合し、２次元映像の表示制御が行われている場合に前記複数の検知電極を分離することを特徴とする請求項１ないし３のいずれか１項に記載の表示制御装置。
【請求項５】
前記判定手段は、前記接続制御手段により前記複数の検知電極が結合されている場合に、近接判定用の閾値を用いて前記検出対象が前記表示手段に接近したことを判定し、前記接続制御手段により前記検知電極が分離されている場合に、接触判定用の閾値を用いて前記検出対象が前記表示手段に接触したことを判定することを特徴とする請求項４に記載の表示制御装置。
【請求項６】
前記接続制御手段は、３次元映像の表示において、表示映像の視差量が大きい場合に比べて、表示映像の視差量が小さい場合に前記複数の検知電極の結合数を減らす制御を行うことを特徴とする請求項４または５に記載の表示制御装置。
【請求項７】
表示手段に２次元映像及び３次元映像を表示する制御を行う表示制御装置により実行される表示制御方法であって、
前記表示手段の表面に配置した複数の検知電極により操作入力を検出する検出ステップと、
前記検出ステップによる検出結果と第１閾値を比較して検出対象の前記表示手段への接触を判定し、前記検出ステップによる検出結果と第２閾値を比較して検出対象の前記表示手段への接近を判定する判定ステップと、
前記表示手段により３次元映像が表示されている場合に前記検出ステップでの検出結果が前記第２閾値を超えて、前記検出対象が前記表示手段に接近したことが前記判定ステップで判定されたときに、３次元映像の表示制御から２次元映像の表示制御に変更する制御ステップを有し、
前記制御ステップでは３次元映像に係る表示映像の視差量に応じて複数の前記第１閾値及び第２閾値を動的に切り替え、前記３次元映像から２次元映像への表示変更後に前記表示手段により２次元映像が表示されている場合に前記検出ステップによる検出結果が前記第１閾値を超えて、前記検出対象が前記表示手段に接触したことが前記判定ステップにて判定されたときに前記表示手段への接触位置に対応して予め設定された処理が実行され、また前記表示手段により３次元映像が表示されている場合に前記検出ステップによる検出結果が前記第２閾値を超えないときには前記３次元映像から２次元映像への表示変更が実行されないことを特徴とする表示制御方法。
【請求項８】
表示手段に２次元映像及び３次元映像を表示する制御を行う表示制御装置により実行される表示制御方法であって、
前記表示手段の表面に配置した複数の検知電極により操作入力を検出する検出ステップと、
前記検出ステップによる検出結果と第１閾値を比較して前記検知電極の電圧が前記第１閾値を超えている放電カウント期間の長さを計測し、計測した放電カウント期間の長さが接触判定用の閾値以下である場合に検出対象が前記表示手段に接触したことを判定し、前記検出ステップによる検出結果と第２閾値を比較して前記検知電極の電圧が前記第２閾値を超えている放電カウント期間の長さを計測し、計測した放電カウント期間の長さが近接判定用の閾値以下である場合に検出対象が前記表示手段に接近したことを判定する判定ステップと、
前記表示手段により３次元映像が表示されている場合に前記検出対象が前記表示手段に接近したことが前記判定ステップで判定されたときに、３次元映像の表示制御から２次元映像の表示制御に変更する制御ステップを有し、
前記制御ステップでは、前記３次元映像から２次元映像への表示変更後に前記表示手段により２次元映像が表示されている場合に前記検出対象が前記表示手段に接触したことが前記判定ステップにて判定されたときに前記表示手段への接触位置に対応して予め設定された処理が実行され、また前記表示手段により３次元映像が表示されている場合に前記検出ステップによる検出結果が前記第２閾値を超えないときには前記３次元映像から２次元映像への表示変更が実行されないことを特徴とする表示制御方法。
【請求項９】
表示手段に２次元映像及び３次元映像を表示する制御を行う表示制御装置により実行される表示制御方法であって、
前記表示手段の表面に配置した複数の検知電極により操作入力を検出する検出ステップと、
前記検出ステップによる検出結果と閾値を比較して検出対象の前記表示手段への接近を判定する判定ステップと、
前記表示手段により３次元映像が表示されている場合に前記検出ステップによる検出結果が前記閾値を超えて、前記検出対象が前記表示手段に接近したことが前記判定ステップにて判定されたときに、３次元映像から２次元映像への表示変更を制御する制御ステップを有し、
前記制御ステップでは、前記表示手段が撮影処理後に撮影画像を表示している間、前記検出ステップによる検出結果が前記閾値を超えて、前記検出対象が前記表示手段に接近したことが前記判定ステップにて判定されたとしても前記３次元映像から２次元映像への表示変更が実行されず、前記表示手段が撮影処理後でない場合に３次元映像を表示している間、前記検出ステップによる検出結果が前記閾値を超えて、前記検出対象が前記表示手段に接近したことが前記判定ステップにて判定されると前記３次元映像から２次元映像への表示変更が実行されることを特徴とする表示制御方法。
【発明の詳細な説明】
【技術分野】
【０００１】
本発明は、静電容量検出方式の操作検出装置を備えた表示制御装置に関し、特に近接及び接触による操作検出並びに３次元及び２次元表示制御の技術に関する。
【背景技術】
【０００２】
近年、タッチパネルを搭載した機器が普及しており、ユーザが表示部に直接触れて直感的に操作できるというメリットがある。タッチパネルを用いて指の接触状態を検出する方法には、静電容量による検出法が知られている。静電容量検出式タッチセンサ（特許文献１参照）には、銅電極やＩＴＯ(Ｉｎｄｉｕｍ Ｔｉｎ Ｏｘｉｄｅ)等の透明電極が用いられる。多数の電極パターンがガラスやプラスチック等の基板上に形成され、ユーザの指が触れたときに変化する電極間の電荷量を計測することでタッチ操作時の接触位置が検出可能である。例えば、タッチパネルを搭載したデジタルカメラにおいて、ユーザがパネル表示面に指先を接触させて左右になぞる操作を行うと、画像再生の送り操作や戻し操作がカメラに指示される。また、ユーザが画面上の被写体像にタッチして選択する操作や、選択した被写体を主被写体として撮影する操作等が可能な機器も登場している。
一方、３Ｄ（３次元）映像の撮影が可能なデジタルカメラでは、例えば、両眼に相当する左右２つの撮像部を用いて被写体を撮影する。得られた２つの画像から視差を利用して３Ｄ画像を表示部（３Ｄ表示部）に表示させることができる。カメラ背面には、パララックスバリア方式等による液晶ディスプレイが設けられ、従来通りの２Ｄ（２次元）画像表示に加え、ユーザは裸眼で３Ｄ映像を立体視できる。
ところで、ユーザが３Ｄ表示部に対してタッチ操作を行おうとすると、手指を出してから表示部の表面に接触するまでの間、両目の焦点は指と表示パネル面とを往復することになる。図７はユーザから見た表示画面と手指の図を（Ａ）に示し、側面から見た模式図を（Ｂ）に示す。Ｘ方向は左右方向、Ｙ方向は上下方向、Ｚ方向は奥行き方向をそれぞれ表す。図７（Ａ）に示す画像ａ、ｂは、Ｘ方向にずれた状態の操作対象（オブジェクト）の３Ｄ表示画像を示す。またユーザが視る手指像ｃ、ｄはユーザが表示パネルに対して目の焦点を合わせた場合に起こる、Ｘ方向のずれを示している。図７（Ｂ）は操作対象の画像が実際の表示面よりも手前側に浮き出て見える様子を模式的に示す。
【先行技術文献】
【特許文献】
【０００３】
【特許文献１】特開２００７−１１０５３８号公報
【発明の概要】
【発明が解決しようとする課題】
【０００４】
上記のような３Ｄ表示部にタッチセンサを搭載した装置では、ユーザにとって視覚と触覚との間の感覚的なずれが問題となる。
図７（Ａ）に示すように、ユーザがタッチ操作する指に目の焦点を合わせると、３Ｄ表示部に対する両目の輻輳角が変化し、右目用映像と左目用映像の視差に対して焦点が合わず、操作対象の画像ａ、ｂが２重に見える現象が起こる。一方、ユーザが３Ｄ表示部に焦点を合わせると、手指に対して同様の現象が起こるため、ユーザは操作し難いという問題がある。また、表示面に対する手指の接触操作において、図７（Ｂ）に示すように操作対象が手前側に飛び出して見える場合や、逆に奥行き方向に引っ込んだ状態で見える場合、ユーザにとって視覚と触覚が一致せず、不快感を与えるおそれがある。
そこで本発明は、表示面に接触して操作可能な操作入力装置を用いる場合に、立体映像表示中のタッチ操作に対してユーザが不快感を抱かないようにすることを目的とする。
【課題を解決するための手段】
【０００５】
上記した課題を解決する為に本発明の第１の側面に係る装置は、表示手段に２次元映像及び３次元映像を表示する制御を行う表示制御装置であって、前記表示手段の表面に配置した複数の検知電極により操作入力を検出する検出手段と、前記検出手段による検出結果と第１閾値を比較して検出対象の前記表示手段への接触を判定し、前記検出手段による検出結果と第２閾値を比較して検出対象の前記表示手段への接近を判定する判定手段と、前記表示手段により３次元映像が表示されている場合に前記検出手段による検出結果が前記第２閾値を超えて、前記検出対象が前記表示手段に接近したことが前記判定手段により判定されたときに、３次元映像から２次元映像への表示変更を制御する制御手段を備える。前記制御手段は、３次元映像に係る表示映像の視差量に対応する複数の前記第１閾値及び第２閾値を動的に切り替え、前記３次元映像から２次元映像への表示変更後に前記表示手段により２次元映像が表示されている場合に前記検出手段による検出結果が前記第１閾値を超えて、前記検出対象が前記表示手段に接触したことが前記判定手段により判定されたときに前記表示手段への接触位置に対応して予め設定された処理を実行し、また前記表示手段により３次元映像が表示されている場合に前記検出手段による検出結果が前記第２閾値を超えないときには前記３次元映像から２次元映像への表示変更を実行しない。
本発明の第２の側面に係る装置は、表示手段に２次元映像及び３次元映像を表示する制御を行う表示制御装置であって、前記表示手段の表面に配置した複数の検知電極により操作入力を検出する検出手段と、前記検出手段による検出結果と第１閾値を比較して前記検知電極の電圧が前記第１閾値を超えている放電カウント期間の長さを計測し、計測した放電カウント期間の長さが接触判定用の閾値以下である場合に検出対象が前記表示手段に接触したことを判定し、前記検出手段による検出結果と第２閾値を比較して前記検知電極の電圧が前記第２閾値を超えている放電カウント期間の長さを計測し、計測した放電カウント期間の長さが近接判定用の閾値以下である場合に検出対象が前記表示手段に接近したことを判定する判定手段と、前記表示手段により３次元映像が表示されている場合に前記検出対象が前記表示手段に接近したことが前記判定手段により判定されたときに、３次元映像から２次元映像への表示変更を制御する制御手段を備える。前記制御手段は、前記３次元映像から２次元映像への表示変更後に前記表示手段により２次元映像が表示されている場合に前記検出対象が前記表示手段に接触したことが前記判定手段により判定されたときに前記表示手段への接触位置に対応して予め設定された処理を実行し、また前記表示手段により３次元映像が表示されている場合に前記検出手段による検出結果が前記第２閾値を超えないときには前記３次元映像から２次元映像への表示変更を実行しない。
本発明の第３の側面に係る装置は、表示手段に２次元映像及び３次元映像を表示する制御を行う表示制御装置であって、前記表示手段の表面に配置した複数の検知電極により操作入力を検出する検出手段と、前記検出手段による検出結果と閾値を比較して検出対象の前記表示手段への接近を判定する判定手段と、前記表示手段により３次元映像が表示されている場合に前記検出手段による検出結果が前記閾値を超えて、前記検出対象が前記表示手段に接近したことが前記判定手段により判定されたときに、３次元映像から２次元映像への表示変更を制御する制御手段を備える。前記制御手段は、前記表示手段が撮影処理後に撮影画像を表示している間、前記検出手段による検出結果が前記閾値を超えて、前記検出対象が前記表示手段に接近したことが前記判定手段により判定されたとしても前記３次元映像から２次元映像への表示変更を実行せず、前記表示手段が撮影処理後でない場合に３次元映像を表示している間、前記検出手段による検出結果が前記閾値を超えて、前記検出対象が前記表示手段に接近したことが前記判定手段により判定されると前記３次元映像から２次元映像への表示変更を実行する。
【発明の効果】
【０００６】
本発明によれば、表示面に接触して操作可能な操作入力装置を用いる場合に、立体映像表示中のタッチ操作にてユーザが不快感を抱かないように防止し、操作性を向上させることができる。
【図面の簡単な説明】
【０００７】
【図１】本発明の実施形態に係る撮像装置の正面図（Ａ）および背面図（Ｂ）である。
【図２】図１の撮像装置の構成例を示すブロック図である。
【図３】タッチパネル上のセンサ構成（Ａ）と、検出部の構成（Ｂ）を説明する図である。
【図４】撮像装置における処理例を示すフローチャートである。
【図５】計測端子における出力電圧と時間との関係を（Ａ）に示し、放電カウントと時間との関係、およびセンサモードと表示制御状態の推移を（Ｂ）に示す図である。
【図６】撮影処理時の動作例を説明するフローチャートである。
【図７】本発明の課題を説明する図である。
【発明を実施するための形態】
【０００８】
以下、図面を参照して、本発明の実施形態を例示的に説明する。
図１は、本発明の実施形態に係る撮像装置１００の外観例を示す図であり、図１（Ａ）は正面図、図１（Ｂ）は背面図である。
図１（Ａ）に示す撮像装置１００の正面には、第１撮影レンズ部１０１と第２撮影レンズ部１０２が配置されている。撮影レンズ部１０１、１０２は各々の被写体像を結像させる。第１撮影レンズ部１０１と第２撮影レンズ部１０２の間には、ストロボ装置１０３が配置されている。また、撮像装置１００の上面には、撮影の際にユーザが操作するレリーズボタン１０４と、電源スイッチ１０５が設けられている。
図１（Ｂ）に示す撮像装置１００の背面には液晶ディスプレイ（以下、ＬＣＤという）２０１が配置され、撮影画像や各種メニュー画面等の画像を表示する。ＬＣＤ２０１は３Ｄ表示部を構成する立体表示可能なディスプレイであり、撮影時には電子ビューファインダとして機能し、画像再生時には再生用モニタとして機能する。さらに、ＬＣＤ２０１の表面には透明電極を配したタッチパネルが重ねて配設されているので、ユーザは表示面へのタッチ操作により、撮影操作や各種メニュー操作が可能である。ＬＣＤ２０１の右側には、撮影モードや再生モード等を設定する切替スイッチ２０２と、十字カーソルボタン２０３が配置されている。切替スイッチ２０２は、撮影モードとしての３Ｄ撮影モードと２Ｄ撮影モード、記録した画像を再生する３Ｄ再生モードと２Ｄ再生モードの設定に使用する。３Ｄ再生モードでは、３Ｄ撮影した画像が、２Ｄ撮影した画像に視差量を加味した３Ｄ画像として表示される。十字カーソルボタン２０３は、ＬＣＤ２０１の表示領域における上下及び左右の移動方向を示す４つの矢印キーと、中央部に配置された決定キーで構成されている。撮像装置１００の側面には、不図示のスロットが設けられており、撮影によって得られた画像データを記録する記録媒体が装着される。
【０００９】
図２は撮像装置１００の構成例を示すブロック図である。第１撮像部３０１は第１撮影レンズ部１０１を介して被写体を撮像し、第２撮像部３１２は第２撮影レンズ部１０２を介して被写体を撮像する。
第１撮像部３０１は、レンズ光軸に沿って配置された固定レンズ３０２、変倍レンズ３０３、フォーカスレンズ３０４、及び撮像素子３０５を備える。変倍レンズ３０３は焦点距離を変更するズームレンズ群であり、フォーカスレンズ３０４は焦点調節を行うレンズ又はレンズ群である。変倍レンズ３０３はレンズモータ３０６により駆動され、フォーカスレンズ３０４はレンズモータ３０７により駆動される。レンズモータ３０６、３０７はＣＰＵ（中央演算処理装置）３２９により制御される。
第１撮像部３０１内の撮像素子３０５は、各レンズによって結像された被写体光を受光し、受光量に応じた電荷を受光素子に蓄積する。撮像素子３０５は、図示しないタイミングジェネレータから入力されるタイミング信号に従って電荷蓄積及び転送動作が制御される。撮影時に撮像素子３０５は、１画面分の画像信号を所定周期で取得し、相関二重サンプリング部（以下、ＣＤＳという）３０８に出力する。ＣＤＳ３０８は、撮像素子３０５の出力信号に含まれる、特に熱雑音を低減する。撮像素子３０５の１画素毎の出力信号に含まれるフィードスルー成分レベルと画素信号成分レベルとの差をとることにより正確な画素データが取得される。ＣＤＳ３０８は、撮像素子３０５から入力された１画面分の映像信号を受け、ＲＧＢの画像信号をＡＭＰ（アンプ）３０９に出力する。ＡＭＰ３０９は、入力された画像信号を増幅してＡ／Ｄ変換器３１０に出力する。Ａ／Ｄ変換器３１０は増幅後の画像信号を受けてアナログ信号からデジタル信号に変換し、第１画像データとして画像処理部３１１へ出力する。
【００１０】
第２撮像部３１２は、第１撮像部３０１と同様に、固定レンズ３１３、変倍レンズ３１４、フォーカスレンズ３１５、撮像素子３１６、レンズモータ３１７及び３１８を備える。３Ｄ撮影モードの場合、第１撮像部３０１と第２撮像部３１２の同期制御により、それぞれ連動して同一の動作が行われる。また２Ｄ撮影モードの場合には、第１撮像部３０１または第２撮像部３１２の何れかが選択的に用いられる。第２撮像部３１２内の撮像素子３１６による画像データは、ＣＤＳ３１９、ＡＭＰ３２０、Ａ／Ｄ変換部３２１により、第１撮像部３０１の場合と同様に処理されて第２画像データとして画像処理部３２２に出力される。
画像処理部３１１及び３２２は入力された各々の画像データに対して、階調変換、ホワイトバランス補正、ガンマ補正処理等の処理を施す。画像処理部３１１及び３２２の出力する画像データはフレームメモリ３２３に送られて記憶される。フレームメモリ３２３は画像データを一時的に格納する作業用メモリである。
【００１１】
立体画像処理部３２４は、フレームメモリ３２３または後述の記録媒体に記録された第１及び第２画像データを処理し、ＬＣＤ２０１で立体表示を行うための立体画像データに合成する。ＬＣＤ２０１は２次元映像と、立体視可能な３次元映像を表示可能である。不図示のＬＣＤドライバは、３Ｄ撮影モードにおいて、ＬＣＤ２０１が電子ビューファインダとして使用される際に、立体画像処理部３２４によって合成された立体画像データをＬＣＤ２０１に送って３Ｄ表示させる。
圧縮伸長処理部３２５は、フレームメモリ３２３に記憶された第１及び第２画像データに対して、ＪＰＥＧ（Joint Photographic Experts Group）方式等の圧縮形式により圧縮処理を施す。メディアコントローラ３２６は、圧縮伸長処理部３２５によって圧縮された各画像データをメモリカード等の記録媒体３２７に記録する。記録媒体３２７に記録された第１及び第２画像データをＬＣＤ２０１に送出して再生表示させる場合、各画像データはメディアコントローラ３２６によって読み出される。圧縮伸長処理部３２５によって伸長処理された各画像データは、３Ｄ再生モードの場合、立体画像処理部３２４が立体画像データに変換する。また２Ｄ再生モードの場合には視差量のない画像データとしてＬＣＤ２０１に送出されて再生表示される。
【００１２】
ＬＣＤ２０１は、例えばパララックスバリア表示層を有する表示部である。パララックスバリア方式の表示部は、表示層に光透過部と光遮断部とが交互に所定のピッチで並んだパターンを備えており、その下層の画面表示面に左右の視差画像をスリット状にして交互に並べることにより、ユーザは専用眼鏡なしに立体視可能である。動作モード管理部３２８は、ユーザが切替スイッチ２０２で設定した撮影モードまたは再生モードを示す情報を記憶する。
ＣＰＵ３２９は撮像装置１００全体の動作を統括的に制御する。ＣＰＵ３２９には、レリーズボタン１０４等を含む操作部３３０、ストロボ装置１０３、メモリ３３５（ＲＯＭ及びＲＡＭを含む）が接続されている。ＣＰＵ３２９は、メモリ３３５のＲＯＭ（Read Only Memory）に格納されたプログラムに従い、ＲＡＭ（Random Access Memory）をワークメモリとして撮像装置１００全体の動作を制御する。ＣＰＵ３２９は、操作部３３０のユーザ操作に応じたキー入力を検出し、撮像装置１００を制御するための各種コマンドや制御信号を生成して各部に出力する。タッチパネル３３２はＬＣＤ２０１の表面に配置され、複数の検知電極間の静電容量の変化によりユーザの操作入力を検出する。検出対象はユーザの手指や操作入力用の部材である。タッチ判定部３３３はタッチパネル３３２からの検出信号を受けてユーザのタッチ操作について判定する。
【００１３】
図３はタッチパネル３３２上のセンサ構成を説明する図である。図３（Ａ）は対をなす検知電極部４０１と４０２を示し、手指４０３の接触面に垂直な方向をｚ方向とし、ｚ方向に直交する２方向をそれぞれｘ方向（横方向）、ｙ方向（縦方向）とする。
本実施形態では、四角形パターンの透明電極が検知電極として配置されている。タッチパネル３３２上には、ｘ方向において電気的に接続された検知電極部４０１と、ｙ方向において電気的に接続された検知電極部４０２が配置されている。ここにユーザの手指４０３が近づくと検知電極間の静電容量が変化する。ｘ列、ｙ列の各静電容量の変化を検出することにより、タッチパネル３３２に手指が触れた位置をタッチ判定部３３３が判別する。
図３（Ｂ）は、電極結合部５０２を介してタッチパネル３３２とタッチ判定部３３３とを接続した構成を示す。タッチ判定部３３３は、計測端子５０１に接続された各検知電極の浮遊容量を計測する。検知電極の容量計測は、電極間コンデンサに対する電荷の充放電により行う。タッチ判定部３３３は、計測端子５０１の出力電圧が所定の閾値を下回る期間中、放電時間を計測し、この計測時間を所定の基準時間と比較することで、後述する近接判定、及びタッチ判定を行う。
電極結合部５０２は、検知電極を電気的に結合し、または分離することにより近接センサモードと接触センサモードを切り替え、検知電極の接続制御を行う。図３（Ｂ）には検知電極同士の結合（接続）と分離（非接続）をスイッチの記号で概念的に表している。近接センサモードは、電極結合部５０２が複数の検知電極を結合して電極面積を擬似的に大きくすることにより、感度を向上させるモードである。また、接触センサモードは、電極結合部５０２が複数の検知電極を分離することにより、接触位置の検出に係る分解能を向上させるモードである。
【００１４】
次に、撮像装置１００の動作について、図４乃至６を参照して説明する。図４は、撮像装置１００の動作を説明するフローチャートである。図５は、計測端子５０１における出力電圧と時間との関係を説明する図である。図５は放電カウント時の出力電圧と時間の関係を（Ａ）に示し、時間軸に対するＬＣＤ２０１の表示制御状態を（Ｂ）に示す図である。図５（Ａ）に符号７０１で示すＶｔｈ１と符号７０２で示すＶｔｈ２は出力電圧に対して設定される閾値電圧を表す。また、符号７０３に示すＰｔｈ２は電極結合状態にて近接時の出力電圧が閾値電圧Ｖｔｈ２を超えている時間を判定するための基準時間を表す。符号７０４で示すＰｄｔｈ２は電極結合状態にて手指等がタッチパネル３３２の表面から離れる時の出力電圧が閾値電圧Ｖｔｈ２を超えている時間を判定するための基準時間を表す。符号７０５に示すＰｔｈ１は電極分離状態にて接触時の出力電圧が閾値電圧Ｖｔｈ１を超えている時間を判定するための基準時間を表す。符号７０６で示すＰｄｔｈ１は電極分離状態にて非接触時の出力電圧が閾値電圧Ｖｔｈ１を超えている時間を判定するための基準時間を表す。図５（Ｂ）に示すグラフの縦軸は放電カウント期間の長さを平均化した時間を示し、横軸は時間軸である。
【００１５】
図４のフローチャートを用いて、本発明の特徴であるＬＣＤ２０１の表示制御、及びタッチ判定部３３３の処理について説明する。ユーザが電源スイッチ１０５を操作し、撮像装置１００に電源を投入するか、または電源投入中にユーザが切替スイッチ２０２を操作して動作モードの切替処理を実行した場合に本処理が開始する。
ＣＰＵ３２９は、電源スイッチ１０５がオン状態になると動作モード管理部３２８から現在の動作モードを取得する（Ｓ６０１）。ＣＰＵ３２９は、図５（Ｂ）の時刻ｔ０にて、動作モードが３Ｄモードであるか否かを判定する。３Ｄモードは、３Ｄ撮影モードと３Ｄ再生モードを含み、現在の動作モードが３Ｄモードの場合、Ｓ６０３に進む。Ｓ６０３にてＣＰＵ３２９は、３Ｄ表示を行うためにＬＣＤ２０１の表示制御を行い、Ｓ６０４にて、電極結合部５０２に対して近接センサモードを指示し、検知電極を結合制御する。そしてＳ６０７に処理を進める。
【００１６】
一方、Ｓ６０２にてＣＰＵ３２９は、動作モードが３Ｄモードでない場合、例えば、２Ｄ撮影モードまたは２Ｄ再生モード等の場合には、Ｓ６０５に処理を進め、２Ｄ表示を行うようにＬＣＤ２０１を表示制御する。そしてＳ６０６にてＣＰＵ３２９は、電極結合部５０２に対して接触センサモードを指示し、検知電極を分離制御する。そして、Ｓ６０７でＣＰＵ３２９は、タッチ判定部３３３により出力電圧の変化が検出されたか否かを判定する。静電容量の変化が検出された場合、Ｓ６０８に進み、静電容量の変化が検出されない場合、Ｓ６０１に戻る。
Ｓ６０８でＣＰＵ３２９は現在のセンサモードを確認する。電極結合部５０２に対する現在の設定が近接センサモードの場合、Ｓ６０９へ移行し、また現在の設定が接触センサモードの場合にはＳ６１２へ移行する。Ｓ６０９でタッチ判定部３３３は、検出結果である放電カウント期間の長さが近接判定用の閾値以下か否かを判定する。この場合、放電カウント期間については、図５（Ａ）で電極結合状態のグラフ線で示すように、計測端子５０１の端子電圧が閾値電圧Ｖｔｈ２（７０２参照）以下となる時間が計測される。放電カウント期間の長さが基準時間Ｐｔｈ２（７０３参照）以下となった場合、タッチ判定部３３３はユーザの指がタッチパネル３３２に接近したと判断し（図５（Ｂ）の時刻ｔ１参照）、Ｓ６１０に進む。一方、放電カウント期間の長さが基準時間Ｐｔｈ２を超える場合、Ｓ６０１に戻る。
【００１７】
タッチ判定部３３３から通知を受けたＣＰＵ３２９は、Ｓ６１０にて、ＬＣＤ２０１に対して２Ｄ表示を行うよう指示し、３次元映像から２次元映像への表示変更が行われる。Ｓ６１１にてＣＰＵ３２９は、接触センサモードへの切り替えを電極結合部５０２に指示し、検知電極を分離制御する（図５（Ｂ）の時刻ｔ２参照）。Ｓ６１２では、接触判定用の閾値電圧としてＶｔｈ１（図５（Ａ）の７０１参照）が設定される。タッチ判定部３３３は、検出結果である放電カウント期間の長さを接触判定用の閾値と比較する。放電カウント期間の長さが所定の基準時間Ｐｔｈ１（図５（Ａ）の７０５参照）以下となった場合、タッチ判定部３３３は、ユーザの手指等の検出対象がタッチパネル３３２に接触したと判断して、Ｓ６１３へ進む。放電カウント期間の長さが基準時間Ｐｔｈ１（図５の７０５）を超える場合には、Ｓ６１４に進む。
ユーザの手指等がタッチパネル３３２に接触した場合（図５（Ｂ）の時刻ｔ３参照）、Ｓ６１３でＣＰＵ３２９は、タッチパネル３３２への接触位置に応じて、現在の動作モードにおける所定の処理を実行する。例えば、３Ｄ撮影モードにて、ＬＣＤ２０１が２Ｄ表示している被写体像に対してユーザがタッチ操作を行った場合、接触位置に対応して予め設定されている、被写体の撮影処理が実行される。そしてＳ６１４に進む。
Ｓ６１４でタッチ判定部３３３は、計測した放電カウント期間の長さを所定の基準時間Ｐｄｔｈ１と比較する。このときの閾値電圧はＶｔｈ１であり、Ｖｔｈ２より高い電圧に設定されている。検知電極同士が分離した接触センサモードにて、非タッチ状態のグラフ線で示すように、Ｖｔｈ１以下の電圧となる放電カウント期間の長さがＰｄｔｈ１と一致した場合、タッチ判定部３３３はユーザの指がタッチパネル３３２から離れる方向に移動したと判断する。そしてＳ６０１へ戻る。一方、放電カウント期間の長さがＰｄｔｈ１と一致しない場合、Ｓ６０７に戻る。
【００１８】
図６は、図４のＳ６１３における撮影処理時の動作例を説明するフローチャートである。
Ｓ９０１での撮影処理後、Ｓ９０２でＬＣＤ２０１は、撮影画像を予め定められた時間だけプレビュー表示する。この間、ユーザは撮影画像内のオブジェクトに対する操作よりも、撮影画像の確認を主目的としているため、タッチパネル３３２での検知結果による処理動作は無効とされる。つまり、プレビュー再生の間、ユーザの手指が近接センサモードにて検知されたとしても、ＣＰＵ３２９は３Ｄ表示制御から２Ｄ表示制御への変更処理を実行しない。Ｓ９０３でＣＰＵ３２９は所定時間の経過を判定する。プレビュー再生が開始してから所定時間が経過した後、撮像装置１００は、現在の動作モードに合わせて動作を再開し、図４のＳ６１４に進む。Ｓ９０３の判定処理は所定時間が経過するまでの間行われる。
以上の構成によれば、撮像装置１００において、３Ｄモードでの表示の場合には、タッチパネル３３２が近接センサモードとなって、ユーザの手指等が接近したことを検出すると２Ｄ表示への切替え制御が行われる。その際、タッチパネル３３２のモードが接触センサモードに切り替わる。すなわち、ユーザがタッチ操作を開始して、タッチパネル３３２に手指等を近づけた場合に２Ｄ表示に切り替えることにより、焦点移動のため映像が２重に見える現象を回避し、ユーザが不快感を抱かないように防ぐ効果が得られる。
【００１９】
尚、本実施形態に示すタッチ判定部３３３は検知電極を電気的に結合し、また分離する接続制御を行うと説明したが、この限りではない。例えば、検知電極が小さくても十分な感度が得られるセンサの場合、センサモードの切替は不要である。つまり、近接検知用と接触検知用の閾値電圧をそれぞれに設定し、近接検知用の閾値を用いて３Ｄ表示制御から２Ｄ表示制御へ切り替えることにより前記と同様の効果が得られる。
また、３Ｄモードにおいて、撮影シーンに合わせた複数の３Ｄ撮影モードを有する構成も可能である。例えば、撮像装置は、撮影モードに加えて、被写体の視差量について大・標準・小の３段階の選択が可能な視差量選択モードを有する。この場合、視差量が大きく、被写体像の飛び出し量も大きい場合には、電極結合部により検知電極を全て結合して、タッチパネルから遠い位置でも手指等の接近を検知できるように設定する。また視差量が小さく、被写体像の飛び出し量も小さい場合には、電極結合部が検知電極の結合数を減らして、タッチパネルに近い位置で手指等の接近を検知できるように制御する。タッチ判定部は、電極の結合数に応じてタッチ判定用の閾値電圧を保持し、複数の閾値電圧を用いて視差量に応じたタッチ判定を行う。このように、３Ｄ表示から２Ｄ表示への切替タイミングを撮影シーンに合わせて制御することで、より効果的にユーザの不快感を軽減できる。
【符号の説明】
【００２０】
１００  撮像装置
３２４  立体画像処理部
３２９  ＣＰＵ
３３２  タッチパネル
３３３  タッチ判定部
５０２  電極結合部
【図１】
0005773617.tif 000002
【図２】
0005773617.tif 000003
【図３】
0005773617.tif 000004
【図４】
0005773617.tif 000005
【図５】
0005773617.tif 000006
【図６】
0005773617.tif 000007
【図７】
0005773617.tif 000008